(57)【要約】【課題】  原画像データをコンピュータ上で各色の分版データを生成し、各色の分版データをそれぞれ印刷装置で印刷しなくとも、モアレの原因となる分版データがすぐに判別できる分版印刷装置を提供する。【解決手段】  原画像データを網点生成処理して各色の分版データを生成する分版データ生成手段と、前記分版生成手段により生成された分版データを重ね合わせて印刷する印刷手段と、前記分版データ生成手段により生成された分版データの少なくとも２版を重ね合わせて前記印刷手段により印刷させるモアレ確認モードに指示可能なモアレ確認モード設定手段とを備え、前記モアレ確認モードに設定されている場合に、前記印刷手段は、前記生成された各分版データのうち２色の分版データを組み合わせて合成印刷する。【選択図】  図４
2004249737.tif 000002
【特許請求の範囲】
【請求項１】
原画像データを網点生成処理して各色の分版データを生成する分版データ生成手段と、  前記分版生成手段により生成された分版データを印刷する印刷手段と、
前記分版データ生成手段により生成された分版データの少なくとも２版を重ね合わせて前記印刷手段により印刷させるモアレ確認モードに指示可能なモアレ確認モード設定手段とを備え、
前記モアレ確認モードに設定されている場合に、前記印刷手段は、前記生成された各分版データのうち２版の分版データの組み合わせを合成印刷することを特徴とする分版印刷装置。
【請求項２】
前記モアレ確認モード設定手段がモアレ確認モードが設定されている場合に、前記印刷手段は、すべての分版データを重ね合わせて合成印刷し、各分版データのうち２版の分版データの組み合わせを重ね合わせて合成印刷することを特徴とする請求項１に記載のカラー分版印刷装置。
【請求項３】
前記印刷手段には、さらに版の組み合わせを表す情報を付して印刷する情報印刷手段を含むことを特徴とする請求項１又は２に記載の分版印刷装置。
【請求項４】
前記印刷手段は、すべての分版データを重ね合わせた合成印刷と前記分版データのうち２版の分版データの組み合わせを重ね合わせた合成印刷とを同一面上の印刷媒体に印刷することを特徴とする請求項２又は３に記載の分版印刷装置。
【請求項５】
前記印刷手段によるすべての印刷が終了する前に中断を指示する中断指示手段を備えることを特徴とする請求項１乃至４いずれか１項に記載の分版印刷装置。
【請求項６】
ホストコンピュータから通信回線を介して送られてきた原画像データと、
前記原画像データを所定の角度・線数で網点生成処理する網点生成処理の手順を記憶する記憶手段と、
前記記憶手段に格納された網点生成処理の手順に従って原画像データを網点生成処理する中央演算装置と、
前記中央演算装置により生成された各版の分版データを書き換え可能に記憶する一時記憶手段と、
前記一時記憶手段から読み出された各版の分版データを印刷する印刷手段と、を備えた分版印刷装置であって、
前記生成された分版データのうち２版の分版データを組み合わせて前記印刷手段により印刷させるモアレ確認モードに指示可能なモアレ確認モード設定手段を備えたことを特徴とする分版印刷装置。
【発明の詳細な説明】
【技術分野】
【０００１】
本発明は、分版印刷装置に関し、さらに詳しくは、スクリーン印刷用の網点分版の重ね合わせによりモアレが発生するか否かを確認する事が可能なスクリーン印刷用カラー分版印刷装置に関するものである。
【背景技術】
【０００２】
従来、スクリーン印刷における分版の生成においては、原画像をたとえば、４色の色材（シアン、マゼンタ、イエロー、ブラック）で印刷する場合、原画像の濃度情報から各版の網点の角度や線数を適度に設定して網点（スクリーン）生成処理を行い、各色の分版（Ｃ版、Ｍ版、Ｙ版、Ｋ版）を得るようにしている。近年では、入力装置、画像編集装置等の進歩によって原画像データをコンピュータ上で生成するようになり、これに伴いコンピュータ上で原画像データを基にして網点生成演算処理を行って各色の分版データを生成し、この各色の分版データをそれぞれ印刷装置で印刷することによって各色の分版を作成している。
【特許文献１】特開平６−３４２２０１号公報
【発明の開示】
【発明が解決しようとする課題】
【０００３】
しかしながらスクリーン印刷用の分版（Ｃ版、Ｍ版、Ｙ版、Ｋ版）を印刷装置で印刷して作成する場合、モアレが発生するか否かは実際に印刷された分版の各版を重ねてみて初めて判明するものである。そのため、モアレが発生しない分版を得るためには、何回も試行錯誤を重ねる必要があるという問題点があった。ここに「モアレ」とは、４色分版で印刷する場合、各版の網点の角度、線数が不適切である場合に発生する干渉縞を指称する。
【０００４】
本発明は、上述した問題点を解決するためになされたものであり、モアレの原因となる分版データを容易に判別できるようにした分版印刷装置を提供することを目的とする。これにより分版作成労力の削減と印刷時間の短縮を図るものである。
【課題を解決するための手段】
【０００５】
この課題を解決するために本発明は、原画像データを網点生成処理して各色の分版データを生成する分版データ生成手段と、前記分版生成手段により生成された分版データを重ね合わせて印刷する印刷手段と、前記分版データ生成手段により生成された分版データの少なくとも２版を重ね合わせて前記印刷手段により印刷させるモアレ確認モードに指示可能なモアレ確認モード設定手段とを備え、前記モアレ確認モードに設定されている場合に、前記印刷手段は、前記生成された各分版データのうち２版の分版データの組み合わせを合成印刷することを要旨とするものである。
【０００６】
このように構成されたスクリーン用カラー分版印刷装置によれば、原画像データに基づいて各色（たとえば、シアン、マゼンタ、イエロー、ブラック）の分版が生成され、モアレ確認モード設定手段によりモアレ確認モードが設定されると、原画像データを網点生成処理することによって得られる各分版データのうち２版の分版データの組み合わせを重ね合わせて印刷する。
【０００７】
前記モアレ確認モード設定手段がモアレ確認モードが設定されている場合に、各分版データをすべての色の分版データを重ね合わせて合成印刷し、各分版データのうち２版の分版データの組み合わせを重ね合わせて合成印刷する。このように構成された分版印刷装置によれば、モアレ確認モード設定手段によりモアレ確認モードが設定されると、印刷手段によりすべての分版データを重ね合わせて合成印刷が行われ、印刷された分版を使用したスクリーン印刷の結果にモアレが生じるか否かが判断できる。また、印刷手段により２版の分版データの組み合わせを重ね合せて印刷される。これにより、各色の分版データのうち２版ずつが合成印刷されることによりどの色どうしでモアレが生じているかが判断できる。
【０００８】
印刷手段には、版の組み合わせを表す文字等の情報を付して印刷する情報印刷手段が含まれる。情報印刷手段により印刷物に版の組み合わせを表す情報が付して印刷されることにより、その印刷物の履歴が記憶に寄らずに確認されることとなる。
【０００９】
印刷手段によりすべての分版データを重ねあわせて合成印刷した結果と分版データのうち２版の分版データの組み合わせを合成印刷した結果とが１枚のシートに印刷されているのが好ましい。そうすれば一目瞭然とモアレの有無やモアレが生じている色が判断できる。
【００１０】
前記印刷手段による分版データの合成印刷が終了する前に中断を指示する中断指示手段を備える。そうすれば、モアレが生じているときに、いずれの色の分版データにモアレが生じているかが２色の分版データの組み合わせを印刷中に判明した時点で、またはすべての色の分版データの合成印刷にモアレがなかった時点で、中断指示手段により印刷の中断を指示すれば、それ以上の印刷は中断され、印刷時間が短縮される。
【００１１】
ホストコンピュータから通信回線を介して送られてきた原画像データと、前記原画像データを所定の角度・線数で網点生成処理する網点生成処理の手順を記憶する記憶手段と、前記記憶手段に格納された網点生成処理の手順に従って原画像データを網点生成処理する中央演算装置と、前記中央演算装置により生成された各版の分版データを書き換え可能に記憶する一時記憶手段と、前記一時記憶手段から読み出された各版の分版データを重ね合わせて印刷する印刷手段と、を備えた分版印刷装置であって、前記生成された分版データのうち２版の分版データを組み合わせて前記印刷手段により印刷させるモアレ確認モードに指示可能なモアレ確認モード設定手段を備えた。これにより、原画像データをコンピュータで各色の分版データを生成し、各色の分版データをそれぞれ印刷装置で印刷することによって各色の分版を作成しなくてよい。
【発明の効果】
【００１２】
本発明の分版印刷装置によれば、原画像データをコンピュータ上で各色の分版データを生成し、各色の分版データをそれぞれ印刷装置で印刷しなくても、２版の分版データを組み合わせて合成印刷されるため、モアレの原因となる分版データがすぐに判別できる。
【発明を実施するための最良の形態】
【００１３】
以下、本発明を好適な実施の形態を図面を参照して詳細に説明する。図１は、本発明のスクリーン用カラー分版印刷装置の概略構成を示すブロック図である。図示されるようにこのスクリーン用カラー分版印刷装置１０は、インターフェース１２および通信ケーブルを介してホストコンピュータ１４に接続されており、その内部構成的には中央演算装置（ＣＰＵ）１６、ＲＯＭ１８、ＲＡＭ２０、モード切換えスイッチ２２および印刷装置（プリンタ）２４がデータバスを介して互いに接続されている。ここに切換えスイッチ２２は、「モアレ確認モード」に設定するか否かの切換えスイッチであり、キーボードあるいはパネル入力装置を用いることによっても可能である。
【００１４】
ＲＯＭ１８にはモード切換えスイッチ２２により「モアレ確認モード」が指定されたときに後述する４版合成印刷および２版合成印刷が順次行われる手順、並びに「モアレ確認モード」が指定されていないときには所定の角度・線数で網点生成処理されたスクリーン印刷用のシアン（Ｃ）版、マゼンタ（Ｍ）版、イエロー（Ｙ）版、ブラック（Ｋ）版が順に印刷される手順が記憶されている。またＲＡＭ２０には、スクリーン印刷用の原画像データを所定の角度・線数で網点生成処理することによって作成されるシアン、マゼンタ、イエロー、ブラックの各分版データが書き換え可能に記憶されるようになっている。この網点生成処理はＲＯＭ１８に予め格納された網点生成処理の手順に従ってＣＰＵ１６が行う他、ホストコンピュータ１４で行っても、印刷装置１０内で行ってもよい。
【００１５】
図２は、このカラー分版印刷装置の操作パネルに配置されたキースイッチなどの配列状態を示したものである。操作パネル２６面には、前述のモアレ確認モード切換えスイッチ２２のほかに「モアレ確認モード」に設定されているときに点滅するモード確認ランプ２８、分版印刷実行キー３０などが配列されている。
【００１６】
そのほかにこの操作パネルには、４版合成印刷後に２版合成印刷を引き続き行わないことを指示する２版合成印刷中止スイッチ３２、２版合成印刷の途中でモアレ確認モードを中断することを指示するモアレ確認モード中断スイッチ３４、モアレ確認をグレースケールデータを用いて行うように設定するグレースケール設定スイッチ３６、分版印刷を透明フィルムに印刷するか普通紙に印刷するかを切換えるための分版シート選択スイッチ３８なども配列されている。したがって印刷装置２４には図示しないが、透明フィルムが装着されるカセットと、普通紙が装着されるカセットとがセットされる。
【００１７】
図３は、本発明に係るモアレ確認モードをもつカラー分版印刷装置の制御フローチャートである。はじめにモアレ確認モードが設定されているか否かが判断され（Ｓ１）、モアレ確認モードが設定されている（Ｓ１．「ＹＥＳ」）と判断されれば、印刷装置２４により紙にモアレ確認印刷がおこなわれる（Ｓ２）。Ｓ１においてモアレ確認モードが設定されていない（Ｓ１．「ＮＯ」）と判断されれば、シアン版（Ｃ版）の印刷、マゼンタ版（Ｍ版）の印刷、イエロー版（Ｙ版）の印刷、ブラック版（Ｋ版）の印刷が順次行われる（Ｓ３〜Ｓ６）。
【００１８】
図４は、モアレ確認モードが設定されている場合に４版合成印刷と２版合成印刷とが続けて行われる場合の制御フローチャートである。初めに「モアレ確認モード」が指定されていない場合（ステップ１、「ＮＯ」）には、通常の分版印刷の場合と同様にシアン版（Ｃ版）の印刷、マゼンタ版（Ｍ版）の印刷、イエロー版（Ｙ版）の印刷、ブラック版（Ｋ版）の印刷が順次行われる（Ｓ３〜Ｓ６）ことは前述した通りである。
【００１９】
そこで「モアレ確認モード」が指定されている場合（ステップ１、「ＹＥＳ」）であるがシアン、マゼンタ、イエロー、ブラックの各分版データを重ね合わせた網点画像の印刷が行われる（Ｓ１１）。次いでこれらの４つの分版データのうち２色ずつを重ね合わせた合成印刷（ＣＭ版、ＣＹ版、ＣＫ版，ＭＹ版、ＭＫ版、ＹＫ版）が行われる（Ｓ１２）。
【００２０】
かくしてスクリーン印刷用のカラー分版を作成するに際して各分版を重ね合わせたときにモアレが生じるか否かを確認するのに、モアレ確認モード切換えスイッチ２２をＯＮしてまず初めにシアン（Ｃ）、マゼンタ（Ｍ）、イエロー（Ｙ）、ブラック（Ｋ）の各カラー分版データに基づく４版合成印刷が行われることによりモアレが生じるか否かが確認されることになる。
【００２１】
そして次にそのモアレ発生の原因がどの分版データにあるのかは、シアン（Ｃ）とマゼンタ（Ｍ）、シアン（Ｃ）とイエロー（Ｙ）、シアン（Ｃ）とブラック（Ｋ）、マゼンタ（Ｍ）とイエロー（Ｙ）、マゼンタ（Ｍ）とブラック（Ｋ）、およびイエロー（Ｙ）とブラック（Ｋ）の各２色の分版データの合成印刷版を作成し、それぞれの合成印刷版によりモアレの有無をチェックすることにより確認される。
【００２２】
たとえばシアン（Ｃ）のカラー分版データにモアレ発生の原因があれば、ＣＭ合成版、ＣＹ合成版、ＣＫ合成版などにモアレが生じていることになる。またたとえば２つのカラー画像の網点データにモアレ発生の原因がある場合（たとえば、シアンとマゼンタ）には、ＭＹ合成版、ＭＫ合成版などにもモアレが生じることになる。
【００２３】
したがってどの色の分版データにモアレ発生の原因があるのか、またそれは１色の分版データに限られるのか等はすぐに確認されることとなる。そしてこれが確認されれば、ホストコンピュータ１４の操作によりそのモアレの原因となる色の網点の角度、線数を変更することが可能となる。
【００２４】
そして、モアレ確認印刷によってモアレが発生しないことを確認した後、モアレ確認モードスイッチ２２を切って（ＯＦＦにする）分版印刷実行キー３０を押せば、順次スクリーン印刷用のシアン（Ｃ）版、マゼンタ（Ｍ）版、イエロー（Ｙ）版およびブラック（Ｋ）版データが順次ＲＡＭ２０上に生成され、印刷装置（プリンタ）２４により印刷されることになる。
【００２５】
図５は、４色の場合の２版合成印刷の制御フローチャートである。Ｃ版、Ｍ版、Ｙ版、Ｋ版が各々０、１、２、３の数値に対応する。はじめにＣＯＬＯＲ１に０がセットされ（Ｓ２１）、次にＣＯＬＯＲ２にＣＯＬＯＲ１＋１がセットされる（Ｓ２２）。そしてこれらの２つの色の分版データ（ＣＯＬＯＲ１とＣＯＬＯＲ２）を合成して印刷が行われる（Ｓ２３）。
【００２６】
次にＣＯＬＯＲ２をＣＯＬＯＲ２＋１に置き換え（Ｓ２４）、ＣＯＬＯＲ２の値が３をこえなければ（Ｓ２５、「ＮＯ」）、Ｓ２３へ戻り再びＣＯＬＯＲ１とＣＯＬＯＲ２の合成印刷が行われる（Ｓ２３）。
【００２７】
そしてＳ２５においてＣＯＬＯＲ２の値が３をこえている（Ｓ２５、「ＹＥＳ」）と判断されれば、ＣＯＬＯＲ１がＣＯＬＯＲ１＋１に置き換えられ（Ｓ２６）、ＣＯＬＯＲ１の値が３より小さい（Ｓ２７、「ＮＯ」）と判断される限りＳ２２へ戻って未だ２版合成印刷の行われていない色どうしの組み合わせで合成印刷が行われる（Ｓ２３〜Ｓ２５）。
【００２８】
具体的には例えば、Ｓ２１においてＣ版の分版データがセットされ、Ｓ２２においてＭ分版データがセットされたとすれば、Ｃ版の分版データとＭ版の分版データとの合成印刷が行われ（Ｓ２３）、次にＭ版に替えてＹ版がセットされ（Ｓ２４）、ＣＹ版の合成印刷が行われる。
【００２９】
そしてＣ版の分版データをベースとした２版の合成印刷が済めば（Ｓ２５、「ＹＥＳ」）、Ｃ版がＭ版に置き換えられ（Ｓ２６）、今度はＭ版と他の色との合成印刷が行われる。ここではＭＹ版、ＭＫ版の合成印刷が行われる。さらにＭ版の分版データをベースとした２版の合成印刷が済めば（Ｓ２５、「ＹＥＳ」）、今度はＹ版の分版データをベースとしてＹＫ版の合成印刷が行われる。このようにして計６種類の２版合成印刷（ＣＭ版、ＣＹ版、ＣＫ版、ＭＹ版、ＭＫ版、ＹＫ版）が行われることになる。
【００３０】
図６は、４色の場合の２版合成印刷の際にその印刷画像がいずれの分版データの組み合わせであるかを文字列等により情報として印刷するようにした制御フローチャートを示している。前述の図５に示したフローチャートと同一の手順（ステップ）については同一のステップ番号を付してその詳細な説明は割愛するが、例えばＳ２３においてＣ版とＭ版との合成印刷が行われた際にその印刷画像の傍らに例えば「ＣＭ版」のように表記される（Ｓ２８）。これにより前述した６種類の２版合成印刷画像にはすべて「ＣＭ版」、「ＣＹ版」、「ＣＫ版」、「ＭＹ版」、「ＭＫ版」、「ＹＫ版」のような表記が印刷され、いずれの２版合成印刷画像であるかが一目瞭然と判別できることとなる。
【００３１】
図７は、４版合成印刷と２版合成印刷とを実行するスクリーン用カラー分版印刷装置であって、４版合成印刷後に２版合成印刷を実行するか否かを判断するようにしたものである。４版合成印刷の結果によりモアレが生じていなければ、最早２版合成印刷を行う必要はない。
【００３２】
したがってこの図７の制御フローチャートに示されるように、４版合成印刷を実行（Ｓ３１）した後、２版合成印刷中止スイッチ３２がＯＮであり、２版合成印刷を実行する（Ｓ３２、「ＹＥＳ」）と判断されれば２版合成印刷が行われる（Ｓ３３）。
【００３３】
２版合成を省略可能とすることでスクリーン印刷用分版作成の効率化、モアレ確認のための紙の消費削減が図られる。
【００３４】
図８は、図５に示した制御フローチャートに従って２版合成印刷が実行されている間にＣ版、Ｍ版、Ｙ版のいずれの分版データにモアレが生じる原因があるかが明らかとなったときには、モアレ確認モード中断スイッチ３４をＯＮにするか、またはモアレ確認モード切り替えスイッチ２２をＯＦＦにすることによりモアレ確認モードが中断されるようにしたものである。
【００３５】
２版合成印刷によりＣＭ版、ＣＹ版、ＣＫ版、ＭＹ版、ＭＫ版、ＹＫ版と順に印刷が実行されていく間に、たとえばＣ版の分版印刷データにモアレ発生原因があるときにはＣＭ版、ＣＹ版、ＣＫ版のいずれにもモアレが確認され、ＭＹ版の合成印刷の実行ではモアレが生じないのでそこでオペレータがモアレ確認の中断を指示すれば、中断指示が入力されたか否か（Ｓ２４）の判断により２版合成印刷が中断されてこのプログラムが終了する。
【００３６】
図９は、４版合成印刷されたものと２版合成印刷されたものとを１枚のシートに印刷した状態の一例を示したものである。この例では２版合成印刷は全体画像の中の一部を部分印刷した状態で示されている。コンピュータのディスプレイ上で２版合成印刷の領域を指定すれば、その指定された領域での印刷が実行されるようになっている。
【００３７】
図１０は、本発明のスクリーン用カラー分版印刷装置に用いられるグレースケールデータの一例を示している。原画像データの代わりとして使用するグレースケールデータは、０％〜１００％まで濃度を変化させて作成した階調データによって塗りつぶされた階調画像を１プレーン（面）とし、これを４プレーン（面）分用意したデータのことであり、使用する際に、所定の線数、角度で網点生成処理され、各版に分版されることになる。操作パネル２６のグレースケール設定スイッチ３６を押せば、モアレ確認がグレースケールデータに基づいて行われることになる。モアレ確認を原画像データから生成した分版データに基づいて行えば、モアレの発生箇所によっては版を修正する必要がないとオペレータが判断できるし、グレースケールデータに基づいて行えば印刷時間が短縮される。
【００３８】
本発明は上記した実施の形態に何ら限定されるものではなく本発明の趣旨を逸脱しない範囲で種々の改変が可能である。たとえば、前述のグレースケールデータに基づいてモアレ確認を行うかどうかは、原画像データのデータ量によって決めるようにしてもよく、そのデータ量が多い場合にはグレースケールデータによるモアレ確認印刷を行うのがモアレ確認時間の短縮への寄与は大きい。またモアレ発生箇所によっては版を修正することがモアレ確認時間の短縮よりも優先する場合があり、その場合にはデータ量によって切り替わらないようにしてもよい。そのほか分版印刷は透明フィルムに印刷するのが一般的であるが、モアレ確認モードの時には安価な紙を指定できるのがよい。そのため操作パネル２６の分版シート選択スイッチ３８の操作により透明フィルムに印刷するか、紙に印刷するかを選択できることは有効である。
【産業上の利用可能性】
【００３９】
本発明は、分版印刷装置に関し、さらに詳しくは、スクリーン印刷用の網点分版の重ね合わせによりモアレが発生するか否かを確認する事が可能なスクリーン印刷用カラー分版印刷装置に関するものである。
【図面の簡単な説明】
【００４０】
【図１】本発明の一実施の形態に作るスクリーン印刷用カラー分版印刷装置の概略構成を示すブロック図である。
【図２】本実施例のスクリーン用カラー分版印刷装置の操作パネル面のスイッチなどの配列状態を示した図である。
【図３】本実施例のスクリーン用カラー分版印刷装置におけるモアレ確認のための制御フローチャートである。
【図４】モアレ確認モードが設定されている場合に４版合成印刷と２版合成印刷とが行われる制御フローチャートである。
【図５】２版合成印刷の具体的な制御フローチャートである。
【図６】２版合成印刷に分版データの組み合わせ情報を同時に印刷する場合の制御フローチャートである。
【図７】４版合成印刷後に２版合成印刷を実行するか否かの制御フローチャートである。
【図８】２版合成印刷を途中で中断される制御フローチャートである。
【図９】分版データに基づく各種の印刷物が１枚のシートに表現されている状態の例を示した図である。
【図１０】本発明の一実施の形態に作るスクリーン印刷用カラー分版印刷装置に用いられるグレースケールデータの一例を示した図である。
【符号の説明】
【００４１】
１０ 分版印刷装置
１４ ホストコンピュータ
２２ モアレ確認モード切換えスイッチ
２４ 印刷装置（プリンタ）
３２ ２版合成印刷中止スイッチ
３４ モアレ確認モード中断スイッチ
３６ グレースケール設定スイッチ
３８ 分版シート選択スイッチ
【図１】
2004249737.tif 000003
【図２】
2004249737.tif 000004
【図３】
2004249737.tif 000005
【図４】
2004249737.tif 000006
【図５】
2004249737.tif 000007
【図６】
2004249737.tif 000008
【図７】
2004249737.tif 000009
【図８】
2004249737.tif 000010
【図９】
2004249737.tif 000011
【図１０】
2004249737.tif 000012